(57)【要約】【課題】  ＲＸスロット区間を除く１回のＴＤＭＡスロット区間で１フレーム分の画像データを伝送し、画像データの伝送に伴う受信妨害を抑制する。【解決手段】  通話中にカメラ撮影されると、制御部１２からの通信スロットに同期したタイミング信号をもとに、カメラモジュール内のタイミング制御部１６３にて２２．５ｋＨｚの水平同期信号１６４を生成する。カメラモジュール内の画像処理部１６２は、この通信スロットに同期した水平同期信号１６４に従ってセンサー部１６１で感知した信号をデジタル画像処理する。画像処理されたデータは、制御部１２から供給される２２．５ＭＨｚのクロック１８により１ピクセル単位の画像データとして、カメラデータバスを介してカメラモジュール１６から制御部１２に順次送出され、Ｉｄｌｅ＋ＴＸスロット区間で１フレーム分の画像データが送出されてＬＣＤ表示部１３に表示される。【選択図】  図１
2005260812.tif 000002
【特許請求の範囲】
【請求項１】
ＴＤＭＡ方式で通信を行う無線部と、画面表示を行う表示部と、キー操作入力を行うキー入力部と、必要な情報を格納するメモリ部と、カメラによる撮影画像を取り込むカメラモジュール部と、前記各部を制御する制御部とを備えた携帯電話装置において、
前記携帯電話装置による通信中に、前記カメラモジュール部から送出されて前記表示部に表示される画像データの送出タイミングを制御するタイミング制御手段を備え、該タイミング制御手段は、ＲＸスロットの終了時点と同期して前記カメラモジュール部から前記画像データの送出を開始する機能と、該ＲＸスロットに続くＩｄｅｌ＋ＴＸスロット区間内で１フレーム分の前記画像データの送出を完了させる機能を有していることを特徴とする携帯電話装置。
【請求項２】
前記タイミング制御手段は、前記制御部から送出される前記Ｉｄｅｌ＋ＴＸスロット区間のみＨｉとなるタイミング信号を入力して任意の画像フレームに対応したリセット信号をつくるフレーム生成部と、前記制御部から供給される１ピクセル単位の画像データ読み出しクロックを分周し、前記リセット信号に同期した１フレーム分の画像データに対応する水平同期信号を生成して出力するカウンタ部とを備えていることを特徴とする請求項１に記載の携帯電話装置。
【請求項３】
前記タイミング制御手段は、毎回の前記Ｉｄｅｌ＋ＴＸスロット区間に前記カメラモジュール部から画像データを送出するように、前記水平同期信号を生成して出力することを特徴とする請求項１または２に記載の携帯電話装置。
【請求項４】
前記タイミング制御手段は、複数回に１回の前記Ｉｄｅｌ＋ＴＸスロット区間の割合で前記カメラモジュール部から画像データを送出するように、前記水平同期信号を生成して出力することを特徴とする請求項１または２に記載の携帯電話装置。
【請求項５】
前記制御部から出力される１ピクセル単位の画像データ読み出しクロックの周波数は、１回の前記Ｉｄｅｌ＋ＴＸスロット区間内で前記カメラモジュール部から１フレーム分の全画像データを伝送可能な周波数に設定されていることを特徴とする請求項１〜４のいずれかに記載の携帯電話装置。
【発明の詳細な説明】
【技術分野】
【０００１】
本発明は、カメラモジュールを内蔵した携帯電話装置に関し、該携帯電話装置による通信中に、カメラモジュールが使用されたとき発生するノイズによる受信妨害を回避する技術に関する。
【背景技術】
【０００２】
近年、カメラ機能を備え、カメラモジュールを内蔵した携帯電話装置が普及しており、この携帯電話におけるカメラ機能を用いたＴＶ電話をはじめとする、通話中の動画撮影などの要求が高まっている。
【０００３】
図８は、従来のカメラ機能を備えた携帯電話装置を示すブロック構成図であり、携帯電話装置としての無線通信を行う無線部８１と、携帯電話装置としての制御を掌る制御部８２と、カメラ画像表示をはじめとする画面表示を行うＬＣＤ表示部８３と、携帯電話装置として必要な情報を格納するメモリ部８４と、携帯電話装置としてキー操作入力を行うキー入力部８５と、撮影画像を取り込むカメラモジュール部８６と、カメラモジュール部と制御部間に接続され８ビットの画像データを並列に伝送するカメラデータバス８７と、制御部８２から送出されるカメラモジュール動作用のクロック８８とからなる。
【０００４】
また、画像を取り込むカメラモジュール部８６は、画像を感知するセンサー部８６１と、センサー出力信号をデジタル処理するとともに１フレーム単位の画像データとして所定のフレームレートで出力する画像処理部８６２を備えている。
【０００５】
この携帯電話装置はＴＤＭＡ（Time Division Multiple Access）［ＰＤＣ（Personal Digital Cellular）］方式で基地局との間で通信を行う機能を有しており、通話中は図９に示すように、一定の周期で繰り返すタイムスロット（ＴＤＭＡスロット）、つまり「送信（ＴＸ）」、「受信（ＲＸ）」、「アイドル（Ｉｄｌｅ）」の各スロットに従って基地局との間で送受信が行われる。各タイムスロットはそれぞれ約６．６ｍｓであり、ＴＸスロット、ＲＸスロットおよびＩｄｌｅスロットの和が２０ｍｓとなっている。
【０００６】
一方、通信中に、この携帯電話装置によりカメラ撮影が行われると、撮影映像信号はセンサー部８６１から画像処理部８６２へ送られてデジタル処理される。デジタル処理された画像データは、図９に示すように、上記通信のタイムスロットとは無関係に制御部８２からのクロック８８により、カメラモジュール部８６からカメラデータバス８７を介して携帯電話装置本体側のＬＣＤ表示部８３へ送られて表示される。
【０００７】
図１０は、１０フレーム／ｓｅｃのフレームレートでカメラ撮影した動画像をカメラモジュール部８６からカメラデータバス８７を介して画像データとして制御部８２へ送出する場合の動作タイミングを示している。
【０００８】
カメラモジュール部８６からの画像データの送出動作は、制御部８２から供給されるカメラモジュール動作用のクロック８８（４．５ＭＨｚのピクセルクロック）によって制御されており、画像処理部８６２でデジタル処理された画像データは、カメラモジュール動作用のクロック８８を分周することにより得られたフレーム同期クロック（１０Ｈｚ）、水平同期クロック（４．５ｋＨｚ）に同期してカメラデータバス８７を介して制御部８２に送出され、さらにＬＣＤ表示部８３へ転送されて表示される。
【０００９】
図１０に示す動作タイミングでカメラ画像データの送信を行った場合、フレーム同期クロックが１０Ｈｚであるから１００ｍｓ周期で表示画像が更新される動画像表示を行うことができる。また、水平同期クロック周波数は４．５ｋＨｚであり、１フレーム当たりの水平同期クロック数はフレーム同期区間を含めると３００となっているから、ＬＣＤ表示部８３に表示される１フレーム分の画像データをカメラモジュール部８６から伝送するのに要する時間は約６７ｍｓ（３００／４．５×１０３）となる。
【００１０】
この従来のカメラ機能を備えた携帯電話装置では、カメラモジュール部から携帯電話装置のＬＣＤ表示部等への画像データの伝送は、図９に示すように、携帯電話装置の通信のタイミングとは無関係に行われており、例えばＴＤＭＡ方式で基地局との間で送受信を行う携帯電話装置で通話中に付属のカメラモジュールで撮影を行った場合、画像データの送出が受信スロットと重なるために、受信妨害を起こすという問題がある。即ち、通話中にカメラ撮影が行われると、カメラモジュールおよび画像データバスから輻射されるノイズが通信品質に影響を及ぼし、特に受信スロットとカメラ画像データの送出が重なる場合にｂｉｔ誤りが発生して、通信品質を劣化する要因となる。
【００１１】
そのためカメラ機能を備えた携帯電話装置では、通信中にカメラデータバスから発生するこの受信妨害問題を回避する必要があり、従来一般的には、データラインへのＥＭＩ対策素子の追加、シールドの追加、電磁吸収シートの追加などの対策が施されている。しかし、データバスのライン数が多くなると、これらの追加部品が増え、高密度実装と低コスト化が要求される携帯電話装置においては、大きな負担となっていた。
【００１２】
このような問題を解消する手段として、本出願人は、携帯電話装置が無線チャネルを介して受信スロットを受信中のタイミングでは、カメラ画像データの伝送を停止することにより、受信スロットにおける無線チャネルの受信感度劣化の発生を防止する技術に関する発明を出願している（特許文献１、以下先願発明という）。
【００１３】
【特許文献１】特願２００２−３５９２８１号
【発明の開示】
【発明が解決しようとする課題】
【００１４】
上記先願発明によれば、携帯電話装置の通信中、ＩｄｌｅスロットおよびＴＸスロット区間でカメラ画像データの伝送を行い、ＲＸスロット区間においては、カメラ画像データの伝送を停止するので、ＥＭＩ対策部品を使わず、比較的簡単な構成によりカメラモジュール部からの画像データの伝送に伴う受信感度劣化の発生を防止することが可能となるが、先願発明では、カメラモジュール部からの１フレームの画像データの伝送を開始する時点と通信スロットとの間の同期については特に考慮されていない。
【００１５】
また、従来例の場合、ＬＣＤ表示部に表示される１フレーム分の画像データをカメラモジュール部から伝送するのに要する時間は約６７ｍｓであるのに対して、ＴＤＭＡスロットは２０ｍｓ周期で繰り返されるために１フレーム分の画像データを伝送している途中で受信（ＲＸ）スロット区間にかかってしまう。そのため、伝送可能な一回のスロット区間内で１フレーム分の画像データを伝送することができず、１フレーム分の画像データが受信スロット区間で分断されて送信されることになり、その分伝送制御が複雑となるという問題もある。また、先願発明においても、その図６に示されているように、１フレーム分の画像データが受信スロット区間で分断されて送信されている。
【００１６】
本発明の目的は、上記問題点に鑑み、ＥＭＩ対策部品を使わず、比較的簡単な手段でカメラモジュール部からの画像データの伝送に伴う受信妨害問題を解決するとともに、カメラモジュール部から伝送される１フレーム分の画像データが受信スロット区間で分断されないように伝送する手段を提供することにある。
【課題を解決するための手段】
【００１７】
本発明は、ＴＤＭＡ方式で通信を行う無線部と、画面表示を行う表示部と、キー操作入力を行うキー入力部と、必要な情報を格納するメモリ部と、カメラによる撮影画像を取り込むカメラモジュール部と、前記各部を制御する制御部とを備えた携帯電話装置において、前記携帯電話装置による通信中に、前記カメラモジュール部から送出されて前記表示部に表示される画像データの送出タイミングを制御するタイミング制御手段を備えており、該タイミング制御手段は、ＲＸスロットの終了時点と同期して前記カメラモジュール部から前記画像データの送出を開始する機能と、該ＲＸスロットに続くＩｄｅｌ＋ＴＸスロット区間内で１フレーム分の前記画像データの送出を完了させる機能を有していることを特徴とする。
【００１８】
本発明の画像データ送出タイミング制御手段は、受信（ＲＸ）スロット期間の終了と同期してカメラモジュール部から１フレーム分の画像データの伝送を開始するように制御される。また、制御部から出力される１ピクセル単位の画像データ読み出しクロックの周波数は、１回のＩｄｅｌ＋ＴＸスロット区間内で前記カメラモジュール部から１フレーム分の全画像データの伝送が可能となる周波数に設定されている。この読み出しクロック周波数を分周して得られる水平同期信号についても、１回のＩｄｅｌ＋ＴＸスロット区間内で１フレーム分の水平同期信号が出力されるように設定されている。
【００１９】
従って本発明では、１フレームの画像データの伝送は、次のＲＸスロットが来る前にこのＩｄｌｅおよびＴＸスロットの期間内で全て完了し、このＩｄｌｅおよびＴＸスロットに続くＲＸスロット期間によって１フレーム分の画像データ伝送が途中で分断されることはない。しかも画像データはＲＸスロット期間以外のＩｄｅｌ＋ＴＸスロット区間内で伝送されるため、通信中のカメラ撮影で発生する受信データ誤りを回避することができ、受信に影響を与えないタイミングでの画像データの伝送を効率よく行って受信妨害問題を回避することができる。
【発明の効果】
【００２０】
本発明によれば、通信品質に係わる受信スロット以外のスロットつまり、Ｉｄｌｅ＋ＴＸスロットのタイミングで、搭載カメラモジュールからの１フレーム分の画像データの伝送を行うので、受信妨害問題を根本的に回避でき、従来カメラデータバスに付加していたＥＭＩ対策素子が不要となり、部品削減、コストダウン、および高密度実装化が可能となるとともに、１フレーム分の画像データの伝送が受信スロットにより分断されることがなく、画像データ送出の際の同期制御を効率よくかつ簡単に実施できる。
【発明を実施するための最良の形態】
【００２１】
図１は、本発明の実施形態を示すブロック構成図である。
【００２２】
本実施形態のカメラ機能を備えた携帯電話装置は、携帯電話装置としての無線通信を行う無線部１１と、携帯電話装置としての制御を掌る制御部１２と、カメラ画像表示をはじめとする画面表示を行うＬＣＤ表示部１３と、携帯電話装置として必要な情報を格納するメモリ部１４と、携帯電話装置としてキー操作入力を行うキー入力部１５と、撮影画像を取り込むカメラモジュール部１６と、カメラモジュールと制御部間の画像データを接続する８ビット並列伝送用カメラデータバス１７と、制御部１２から送出されるカメラモジュール動作用のクロック１８と、同じく制御部１２から送出され、通信スロットと同期して、Ｉｄｌｅスロット＋ＴＸスロット区間のみＨｉとなるタイミング信号１９とを有する。
【００２３】
また、画像を取り込むカメラモジュール部１６は、画像を感知するセンサー部１６１と、センサー出力信号をデジタル処理し、制御部１２から供給されるクロック１８により１ピクセル単位で処理画像データをカメラデータバス１７経由で制御部１２へ出力する画像処理部１６２と、制御部１２から供給されるクロック１８とタイミング信号１９を入力して、通信タイミングと同期した水平同期信号１６４を画像処理部１６２に供給するタイミング制御部１６３とを備えている。なお、携帯電話装置には、その他に通話を行うための音声処理部、送受話部等も含まれているが、本発明の構成とは直接関係しないので省略している。
【００２４】
本実施形態の携帯電話装置では、カメラモジュール部１６に、制御部１２から送出されるタイミング信号１９を入力して、通信タイムスロットと同期した水平同期信号を出力するタイミング制御部１６３を設け、このタイミング制御部１６３で生成された、通信タイムスロットに同期した水平同期信号１６４に基づき、画像処理部１６２から出力される画像データが処理されてカメラデータバス１７経由で制御部１２に転送される。画像処理部１６２から制御部１２に入力された１フレーム分の画像信号は、ＬＣＤ表示部１３に転送されて１画面の画像として表示される。
【００２５】
また、本発明では、カメラデータバス１７を介して画像処理部１６２から１ピクセル単位で制御部１２に伝送される画像データの伝送速度を従来よりも高速化している。即ち、受信スロットが終了してＩｄｌｅスロットが立ち上がるタイミングと同期して開始される１フレーム分の画像データの送出を、次の受信スロットが来る前に全て完了するように制御するために、制御部１２から画像処理部１６２に供給されるクロック１８のクロック周波数は２２．５ＭＨｚに設定されている。また、タイミング制御部１６３から出力される水平同期信号１６４も、１フレームの画像データの送出がＩｄｌｅおよびＴＸスロット内で行われる様、タイミング制御部１６３にてコントロールされる。
【００２６】
図２は、本実施形態におけるタイミング制御部１６３の構成例を示しており、通信タイミングに同期してＩｄｌｅ＋ＴＸスロット時のみＨｉになるタイミング信号１９の立ち上がり時点において、設定された画像フレームレートに対応して出力されるリセット信号２０をつくるフレーム生成部１６３１と、制御部１２から供給される画像処理用クロック１８をもとに、リセット信号２０に同期して１フレーム分の画像信号を画像処理部１６２から送出するための水平同期信号１６４を生成して出力するカウンタ部１６３２とを備えている。
【００２７】
図３は、本実施形態におけるタイミング制御部１６３の動作を示すタイムチャートである。フレーム生成部１６３１は、制御部１２より得られる、通信タイムスロットに同期したＩｄｌｅ＋ＴＸスロット区間のみＨｉになるタイミング信号１９を分周することで、予め設定した任意の画像フレームレートに合ったリセット信号２０を出力する。例えば分周比としてＮ＝５が設定されていれば、フレーム生成部１６３１からは、５回のタイミング信号１９に対して１回の割合でリセット信号２０が発生し、このリセット信号２０がカウンタ部１６３２へ供給されると、１０フレーム／ｓｅｃのフレームレートで画像データを取り込むことができる。
【００２８】
カウンタ部１６３２は、リセット信号２０により分周回路に対しリセットが掛かった時点から、制御部１２から供給される２２．５ＭＨｚのクロック信号１８を１０００分周して２２．５ｋＨｚの水平同期信号１６４を出力し、１フレーム分の水平同期信号数（実施例では３００）を出力した時点で、次のリセット信号が入力されるまでカウント動作を停止する。従って、カウンタ部１６３２から出力される水平同期クロック１６４は、結果的に通信タイムスロットのＩｄｌｅスロットの立ち上がり時点（ＲＸスロットの終了時点）と同期した信号となり、ＴＸスロットの終了時点までに１フレーム分の水平同期クロック１６４が出力される。
【００２９】
図４は、本実施形態の携帯電話装置における画像データ伝送動作を説明するためのタイムチャートであり、図５は、本実施形態の携帯電話装置におけるカメラモジュール部からの画像データ送出動作タイミングを示すタイムチャートである。また、図６は、本実施形態の携帯電話装置による通話中の動画撮影の動作を示すフローチャートである。以下、図１〜図６を参照して本実施形態の動作について説明する。
【００３０】
本実施形態の携帯電話装置もＴＤＭＡ方式で基地局との間で通信を行う機能を有しており、通話中は図４に示すように、２０ｍｓ周期で繰り返す一定のタイムスロット（ＴＤＭＡスロット）、つまり「送信（ＴＸ）」、「受信（ＲＸ）」、「アイドル（Ｉｄｌｅ）」の各スロットに従って基地局との間で通信が行われている。各タイムスロットはそれぞれ約６．６ｍｓである。
【００３１】
この通話中にカメラ撮影が開始される（Ｓ１）と、制御部１２から得られるタイミング信号１９をもとに、カメラモジュール内のタイミング制御部１６３にて通信スロットに同期した２２．５ｋＨｚの水平同期信号１６４を生成する（Ｓ２）。カメラモジュール内の画像処理部１６２は、この通信スロットに同期した水平同期信号１６４を入力し、この水平同期信号１６４に従って、センサー部１６１で感知した信号を画像処理する（Ｓ３）。画像処理されたデータは、制御部１２から供給される２２．５ＭＨｚのクロック１８により、カメラモジュール１６からカメラデータバス１７を介して、１ピクセル単位の画像データとして送出され（Ｓ４）、制御部１２によりＬＣＤ表示部１３に表示される（Ｓ５）。
【００３２】
このように本実施形態の画像データの伝送速度は、ＩｄｌｅスロットとＴＸスロット区間内で伝送を完了させる為にピクセルクロック１８を従来の５倍である２２．５ＭＨｚとしている。タイミング制御部１６３のフレーム生成部１６３１は、Ｉｄｌｅスロットの立ち上がり（ＲＸスロットの終了時点）に同期して立ち上がるタイミング信号１９を制御部１２から取り込み、これを予め設定されているフレームレートに従って分周し、Ｉｄｌｅスロットの立ち上がり（ＲＸスロットの終了時点）に同期したリセット信号２０を、上記分周比に応じた間隔でカウンタ部１６３２へ出力する。
【００３３】
カウンタ部１６３２は、フレーム生成部１６３１からリセット信号２０が入力された時点から、制御部１２から供給されている２２．５ＭＨｚのクロック１８を分周して２２．５ｋＨｚの水平同期クロック１６４を生成し、１画像フレーム分に相当する数の水平同期クロック１６４を画像処理部１６２に供給する。
【００３４】
１フレーム当たりの水平同期クロック数は図５に示されているように、フレーム同期区間を含めると３００であるから、ＬＣＤ表示部１３に表示される１フレーム分の画像データをカメラモジュール部１６から伝送するのに要する時間は約１３．３ｍｓ（３００／２２．５×１０３）となる。一方、ＴＤＭＡ（ＰＤＣ方式）の通信方式においては、ＴＤＭＡスロットは２０ｍｓ周期で繰り返され、「送信（ＴＸ）」、「受信（ＲＸ）」、「アイドル（Ｉｄｌｅ）」の各スロットはそれぞれ６．６ｍｓであるので、一回のＩｄｌｅ＋ＴＸスロット区間は約１３．３ｍｓである。従って、一回のＩｄｌｅ＋ＴＸスロット区間で１フレームの画像データの送出を行うことが可能となる。
【００３５】
なお、実施例では、制御部１２から供給されているクロック１８の周波数を２２．５ＭＨｚとしているが、このクロック１８の周波数は２２．５ＭＨｚ以上であれば、ＬＣＤ表示部１３に表示される１フレーム分の画像データをカメラモジュール部１６から伝送するのに要する時間は約１３．３ｍｓ以下となるので、一回のＩｄｌｅ＋ＴＸスロット区間で１フレームの画像データの送出を行うことが可能となる。
【００３６】
カウンタ部１６３２は、１フレーム当たりの水平同期クロック数（３００）の出力を完了すると、次のリセット信号２０が入力されるまで水平同期信号の出力を停止するので、ＲＸスロット区間ではタイミング制御部１６３から水平同期信号１６４は出力されず、よって、ＲＸスロット区間において画像処理部１６２からカメラデータバス１７へ画像データが送出されることはない。
【００３７】
また、前記のようにＴＤＭＡ（ＰＤＣ方式）の通信方式においては、ＴＤＭＡスロットは２０ｍｓ周期で繰り返されるため、通信中、Ｉｄｌｅ＋ＴＸスロットは５０Ｈｚの周期で存在する。従って、図４〜図５に示す制御タイミングの様に、毎回のＩｄｌｅ＋ＴＸスロットにおいて１フレームの画像データの送出を行うことによって、５０フレーム／ｓｅｃの速度で画面の書き換えが可能となり、高速描画が要求されるような動画像表示を行う場合においても十分対応することができる。
【００３８】
図７は、フレーム生成部１６３１から出力されるリセット信号２０として、タイミング信号１９を分周して出力（図３のＮ＝２〜２５に相当）することにより、より小さいフレームレートで動画像を取り込む場合の実施例を示すタイムチャートである。
【００３９】
図５に示す実施例では、毎回のＩｄｌｅ＋ＴＸスロットで１フレームの画像データの送出を行う（図３のＮ＝１に相当）ことによって、５０フレーム／ｓｅｃの速度で画面の書き換えることにより高速描画にも対応可能としているが、本実施例（図７）では、複数回に１回のＩｄｌｅ＋ＴＸスロット間隔で１フレームの画像データの送出を行っている。例えばＮ＝２５とすれば、２フレーム／ｓｅｃの速度で画面の書き換えることになる。しかしこの場合でも、カメラモジュール部１６からは、リセット信号２０が発生した後の最初のＩｄｌｅ＋ＴＸスロット区間のみで１フレーム分の画像データが全て送出完了しているので、画像データの送出がＲＸスロット区間まで及ぶことはない。
【００４０】
このように、フレーム生成部１６３１から出力されるリセット信号２０として、タイミング信号１９を分周して出力する（図３のＮ＝２〜２５）ことにより、高速描画が要求されない場合等には、より小さいフレームレートで動画像を取り込むことによって電力消費を減らすことができる。また、この分周比をユーザが適宜変更できるように構成しても良い。
【００４１】
なお、携帯電話機による通信中でないときに、カメラモジュール１６による撮影を行ってＬＣＤ表示部１３に表示させる場合には、制御部１２は、上記タイムスロットとは関係なく適宜のタイミング信号をタイミング制御部１６３へ出力することにより、カメラモジュール１６からの画像データをＬＣＤ表示部１３へ転送する。
【図面の簡単な説明】
【００４２】
【図１】本発明の実施形態を示すブロック構成図である。
【図２】本実施形態におけるタイミング制御部の構成例を示すブロック図である。
【図３】本実施形態におけるタイミング制御部の動作を示すタイムチャートである。
【図４】本実施形態の携帯電話装置における画像データ伝送動作を説明するためのタイムチャートである。
【図５】本実施形態の携帯電話装置におけるカメラモジュール部からの画像データ送出動作タイミングを示すタイムチャートである。
【図６】本実施形態の携帯電話装置による通話中の動画撮影の動作を示すフローチャートである。
【図７】本実施形態の携帯電話装置におけるカメラモジュール部からの画像データ送出動作タイミングの他の例を示すタイムチャートである。
【図８】従来のカメラ機能を備えた携帯電話装置を示すブロック構成図である。
【図９】従来のカメラ機能を備えた携帯電話装置における画像データ伝送動作を説明するためのタイムチャートである。
【図１０】従来のカメラ機能を備えた携帯電話装置におけるカメラモジュール部からの画像データ送出動作タイミングを示すタイムチャートである。
【符号の説明】
【００４３】
１１，８１  無線部
１２，８２  制御部
１３，８３  ＬＣＤ表示部
１４，８４  メモリ部
１５，８５  キー入力部
１６，８６  カメラデータバス
１７，８７  クロック
１８，８８  カメラモジュール部
１８１，８８１  センサー部
１８２，８８２  画像処理部
１８３  タイミング制御部
１８３１  フレーム生成部
１８３２  カウンタ部
１８４  水平同期信号
１９  タイミング信号
２０  リセット信号
【図１】
2005260812.tif 000003
【図２】
2005260812.tif 000004
【図３】
2005260812.tif 000005
【図４】
2005260812.tif 000006
【図５】
2005260812.tif 000007
【図６】
2005260812.tif 000008
【図７】
2005260812.tif 000009
【図８】
2005260812.tif 000010
【図９】
2005260812.tif 000011
【図１０】
2005260812.tif 000012